(57)【要約】【課題】ＲＣＳがより小さく、高さがより低いこと。【解決手段】扉１と、扉収納装置３とを具備している。扉１は、複数パネル２−１〜２−ｎから形成され、複数パネル２−１〜２−ｎは、水平方向に並べられ、且つ、それぞれの外側表面が同一平面１０を形成して当該艦船用格納庫の出入り口を閉鎖する。同一平面１０は、鉛直方向と非平行である。扉収納装置３は、外側表面が互いに平行になるように複数パネル２−１〜２−ｎを重ねて当該艦船用格納庫の内側に配置される扉収納スペース２０に格納して出入り口を開放する。このような艦船用格納庫は、ＲＣＳが小さく、扉がシャッターにより形成されているときより、出入り口の上端から当該艦船用格納庫の屋根までの長さが短い。【選択図】図１
2004027680.tif 000002
【特許請求の範囲】
【請求項１】
扉と、
扉収納装置とを具備し、
前記扉は、複数パネルから形成され、
前記複数パネルは、水平方向に並べられ、且つ、それぞれの外側表面が同一平面を形成して当該艦船用格納庫の出入り口を閉鎖し、
前記同一平面は、鉛直方向と非平行であり、
前記扉収納装置は、前記外側表面が互いに平行になるように前記複数パネルを重ねて当該艦船用格納庫の内側に配置される扉収納スペースに格納して前記出入り口を開放する
艦船用格納庫。
【請求項２】
請求項１において、
前記扉収納装置は、前記複数パネルのうちの前記同一平面に配置されている開閉パネルを前記同一平面に平行に前記扉収納スペースの外側に押し出すパネル横押し出し装置を具える
艦船用格納庫。
【請求項３】
請求項２において、
前記扉収納装置は、前記複数パネルのうちの前記扉収納スペースに収納されている収納パネルを前記収納パネルのうちの１つのパネルが前記同一平面上に配置されるように押し出すパネル押し出し装置を更に具える
艦船用格納庫。
【請求項４】
請求項３において、
前記扉収納装置は、前記収納パネルを前記同一平面に前記収納パネルのうちの１つのパネルが配置されないように移動するパネル引き込み装置を更に具える
艦船用格納庫。
【請求項５】
請求項４において、
前記扉収納装置は、前記開閉パネルを前記開閉パネルのうちの１つのパネルが前記扉収納スペースに配置されるように移動する開閉装置を更に具える
艦船用格納庫。
【請求項６】
請求項５において、
前記扉収納装置は、床に配置されて前記複数パネルを前記同一平面上に案内するガイドレールを更に具備し、
前記ガイドレールは、前記出入り口が開放されるときに、前記出入り口の傍に収納される
艦船用格納庫。
【請求項７】
請求項１〜請求項６のいずれかに記載の艦船用格納庫
を具備する艦船。
【発明の詳細な説明】
【０００１】
【発明の属する技術分野】
本発明は、艦船用格納庫に関し、特に、艦船に設置される艦船用格納庫に関する。
【０００２】
【従来の技術】
艦船に設置されるヘリコプターの格納庫は、ヘリコプターを格納することができる程度に出入り口が大きく開口されている。さらに、艦船は、甲板を広く利用することが望まれ、その出入り口を開閉する艦船用格納庫扉は、開放されているときに、艦船の甲板に突出しないことが望まれている。
【０００３】
図８は、公知の艦船用格納庫を示している。その艦船用格納庫１００は、シャッター１０１と、シャフト１０２と、シャッター巻き上げ機１０４とを備えている。シャッター巻き上げ機１０４は、ベルト１０３を介して、シャフト１０２を回転させる。シャフト１０２は、回転することにより、シャッター１０１を巻き上げて出入り口を開放し、または、シャッター１０１を下ろして出入り口を閉鎖する。艦船用格納庫１００は、艦船に設置されているレーダまたは艦橋の視界を遮蔽しないように、高さが低いことが好ましく、開口部の上端から屋根までの長さ１０６が小さいことが望まれている。
【０００４】
シャッター１０１は、出入り口を閉鎖しているときに概ね平面を形成し、その平面の法線は、鉛直方向成分を有し、やや上向きに傾いている。このようなシャッター１０１は、照射される電波を壁面が照射源の方向に反射する確率を示す電波反射面積（Ｒａｄａｒ　Ｃｒｏｓｓ　Ｓｅｃｔｉｏｎ。本明細書中では、以下に「ＲＣＳ」と略記される）を低減し、艦船が他の艦船のレーダにより捕捉され難くしている。
【０００５】
図９は、シャッター１０１を構成する複数のスラットを詳細に示している。その複数のスラット１１１は、それぞれ水平方向に延び、隣り合う他のスラット１１１と回転可能に連結されている。スラット１１１は、出入り口の左右両側に配置されているガイドレールに沿って、平行移動し、出入り口を開閉する。このようなシャッター１０１は、外側に向いている表面が凹凸しており、その分ＲＣＳが大きい。艦船用格納庫は、レーダにより捕捉され難いように、ＲＣＳがさらに小さいことが望まれている。
【０００６】
【発明が解決しようとする課題】
本発明の課題は、ＲＣＳがより小さい艦船用格納庫を提供することにある。
本発明の他の課題は、ＲＣＳがより小さく、高さがより低い艦船用格納庫を提供することにある。
【０００７】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００８】
本発明による艦船用格納庫は、扉（１）と、扉収納装置（３）とを具備している。扉（１）は、複数パネル（２−１〜２−ｎ）から形成され、複数パネル（２−１〜２−ｎ）は、水平方向に並べられ、且つ、それぞれの外側表面が同一平面（１０）を形成して当該艦船用格納庫の出入り口を閉鎖する。同一平面（１０）は、鉛直方向と非平行である。扉収納装置（３）は、外側表面が互いに平行になるように複数パネル（２−１〜２−ｎ）を重ねて当該艦船用格納庫の内側に配置される扉収納スペース（２０）に格納して出入り口を開放する。このような艦船用格納庫は、ＲＣＳが小さく、扉がシャッターにより形成されているときより、出入り口の上端から当該艦船用格納庫の屋根までの長さが短い。
【０００９】
扉収納装置（３）は、複数パネル（２−１〜２−ｎ）のうちの同一平面（１０）に配置されている開閉パネル（２−１〜２−ｉ）を同一平面（１０）に平行に扉収納スペース（２０）の外側に押し出すパネル横押し出し装置（２３）を具えていることが好ましい。
【００１０】
扉収納装置（３）は、複数パネル（２−１〜２−ｎ）のうちの扉収納スペース（２０）に収納されている収納パネル（２−ｉ〜２−ｎ）を収納パネル（２−ｉ〜２−ｎ）のうちの１つのパネル（２−ｉ）が同一平面（１０）上に配置されるように押し出すパネル押し出し装置（４１）を更に具えていることが好ましい。
【００１１】
扉収納装置（３）は、収納パネル（２−ｉ〜２−ｎ）を同一平面（１０）に収納パネル（２−ｉ〜２−ｎ）のうちの１つのパネル（２−ｉ）が配置されないように移動するパネル引き込み装置（２４）を更に具えていることが好ましい。
【００１２】
扉収納装置（３）は、開閉パネル（２−１〜２−ｉ）を開閉パネル（２−１〜２−ｉ）のうちの１つのパネル（２−ｉ）が扉収納スペース（２０）に配置されるように移動する開閉装置（１１、１２、１３、１４、１５、１６）を更に具えていることが好ましい。
【００１３】
扉収納装置（３）は、格納スペースの床に配置されて複数パネル（２−１〜２−ｎ）を同一平面（１０）上に案内するガイドレール（５）を更に具備している。ガイドレール（５）は、出入り口が開放されるときに、出入り口の傍に収納されることが好ましい。
【００１４】
本発明による艦船は、本発明による艦船用格納庫を具備していることが好ましい。
【００１５】
【発明の実施の形態】
図面を参照して、本発明による艦船用格納庫の実施の形態は、扉が扉収納装置とともに設けられている。その扉１は、図１に示されているように、複数のパネル２−１〜２−ｎ（ｎ＝３，４，５，…）から形成されている。扉１は、パネル２−１〜２−ｎが同一の平面１０上に配置されて本発明による艦船用格納庫の出入り口を閉鎖している。このとき、平面１０は、鉛直方向に平行ではなく、少し上を向いており、すなわち、扉１は、上側が下側より内側に配置されている。（図２、図３参照）パネル２−１〜２−ｎは、それぞれ連結されていないで、重ねることができる。
【００１６】
その扉収納装置３は、上側開閉ガイドレール４、下側開閉ガイドレール５を備えている。上側開閉ガイドレール４は、出入り口の上端に設けられている。下側開閉ガイドレール５は、その出入り口の下端に設けられ、上側開閉ガイドレール４と平行に延びている。パネル２−１〜２−ｎは、上側開閉ガイドレール４と下側開閉ガイドレール５とに案内されて水平方向に平行移動可能に支持されている。下側開閉ガイドレール５は、中央部分にヒンジ６が設けられ、２つ折り可能である。下側開閉ガイドレール５の中央部分には、さらに、チェーン７が接合され、そのチェーン７は、出入り口の傍に滑車８を通って、モータ９に接続されている。モータ９は、作業者の操作によりチェーン７を巻き取る。
【００１７】
扉収納装置３は、さらに、駆動用チェーン１１、滑車１２、１３、パネル移動用開閉装置１４を備えている。パネル２−１は、駆動用チェーン１１に接合される金具１５が同体に接合されている。パネル移動用開閉装置１４は、モータであり、ベルト１６を介して回転動力を滑車１２に伝達する。滑車１２は、滑車１３とともに駆動用チェーン１１を駆動させてパネル２−１を水平方向に平行移動させる。
【００１８】
扉格納装置３は、さらに、上側収納ガイドレール２１、下側収納ガイドレール２２を備えている。本発明による艦船用格納庫は、その内側の出入り口の傍に扉収納スペース２０が配置されている。上側収納ガイドレール２１は、その扉収納スペース２０の上端に設けられ、上側開閉ガイドレール４と垂直な方向に延びている。下側開閉ガイドレール５は、その扉収納スペース２０の下端に設けられ、上側収納ガイドレール２１と平行な方向に延びている。パネル２−１〜２−ｎは、上側収納ガイドレール２１と下側収納ガイドレール２２とに案内されて水平方向に平行移動可能に支持されている。
【００１９】
扉格納装置３は、さらに、パネル横押し出し装置２３とパネル引き込み装置２４とを備えている。パネル横押し出し装置２３は、扉収納スペース２０に配置されている１枚のパネル２−ｉ（ｉ＝１，２，３，…，ｎ）を上側開閉ガイドレール４と下側開閉ガイドレール５と間に押し込む。このとき、パネル横押し出し装置２３は、パネル２−ｉとともに上側開閉ガイドレール４と下側開閉ガイドレール５と間に他のパネル２−１〜２−（ｉ−１）を移動させることができる。
【００２０】
パネル引き込み装置２４は、上側開閉ガイドレール４と下側開閉ガイドレール５と間から扉収納スペース２０に押し出されたパネル２−ｉを内側の方向に引き込む。このとき、パネル引き込み装置２４は、パネル２−ｉとともに他のパネル２−（ｉ＋１）〜２−ｎを移動させることができる。
【００２１】
図２は、収納スペースに収納されたパネル２−１〜２−ｎを示している。パネル２−１〜２−ｎは、それぞれ、平面１０に平行に重ねられている。扉格納装置３は、さらに、パネル押し出し装置４１を備えている。パネル押し出し装置４１は、収納されたパネル２−ｎを艦船用格納庫の外側に押し出す。このとき、パネル押し出し装置４１は、パネル２−ｎとともに収納スペースに収納されたパネル２−ｉ〜２−ｎを押し出すことができる。
【００２２】
パネル引き込み装置２４は、図２に示されているように、収納されたパネル２−ｎのさらに内側に配置されている。パネル引き込み装置２４は、扉収納スペース２０に収納されたパネル２−ｉ〜２−ｎのうちの最も外側（平面１０の側）に配置されているパネル２−ｉを内側（パネル引き込み装置２４の側）に移動させ、扉収納スペース２０のうちの平面１０と交わる領域を空ける。このような動作により、扉収納スペース２０には１枚のパネル２−（ｉ−１）がさらに収納されることができるようになる。このような艦船用格納庫は、天井と屋根との距離が扉としてシャッターを用いるときより小さく、高さが低くて好ましい。
【００２３】
図３は、上側開閉ガイドレール４と下側開閉ガイドレール５とを詳細に示している。パネル２−ｉは、上方に、上側開閉ガイドローラ４２と上側収納ガイドローラ４３とを備えている。上側開閉ガイドローラ４２は、上側開閉ガイドレール４に案内されて走行する。パネル２−ｉは、下方に下側開閉ガイドローラ４４と上側収納ガイドローラ４５とを備えている。下側開閉ガイドローラ４４は、上側開閉ガイドレール４に案内されて走行する。すなわち、平面１０に重ねて配置されているパネル２−ｉは、上側開閉ガイドレール４と下側開閉ガイドレール５とが延びている方向に双方向に移動可能に支持されている。
【００２４】
図４は、上側収納ガイドレール２１と下側収納ガイドレール２２とを詳細に示している。パネル２−ｉの上側収納ガイドローラ４３は、上側収納ガイドレール２１に案内されて走行する。パネル２−ｉの下側収納ガイドローラ４３は、下側収納ガイドレール２１に案内されて走行する。すなわち、収納スペース２０に配置されているパネル２−ｉは、上側収納ガイドレール２１と下側収納ガイドレール２２とが延びている方向に双方向に移動可能に支持されている。
【００２５】
図５は、パネル引き込み装置２４を詳細に示している。パネル引き込み装置２４は、アクチュエータ５１とパネル引き込み板５２とを備えている。パネル引き込み板５２は、扉収納スペース２０に収納されるパネル２−ｉ〜２−ｎより外側に配置されている。パネル引き込み装置２４は、パネル引き込み板５２を内側に移動させて、パネル２−ｉ〜２−ｎを内側に移動させる。このような動作により、扉収納スペース２０には１枚のパネル２−（ｉ−１）がさらに収納されることができるようになる。
【００２６】
図６は、パネル横押し出し装置２３とパネル押し出し装置４１とを詳細に示している。パネル横押し出し装置２３は、扉収納スペース２０に収納され、平面１０を重なって配置される１枚のパネル２−ｉを上側開閉ガイドレール４と下側開閉ガイドレール５との間に移動させる。パネル押し出し装置４１は、扉収納スペース２０のうちの平面１０と交わる領域にパネル２−（ｉ−１）が配置されていないときに、扉収納スペース２０に配置されているパネル２−ｉ〜２−ｎを外側に移動する。パネル横押し出し装置２３とパネル押し出し装置４１とがこのような動作を交互に繰り返して実行することにり、扉収納スペース２０に配置されているパネル２−ｉ〜２−ｎは、上側開閉ガイドレール４と下側開閉ガイドレール５との間に移動され出入り口が閉鎖される。
【００２７】
パネル押し出し装置４１は、さらに、パネル引き込み装置２４がパネル２−ｉ〜２−ｎを内側に移動させるときに、その操作に同調して、内側に移動する。
【００２８】
図７は、下側開閉ガイドレール５の他の状態を示している。下側開閉ガイドレール５は、第１ガイドレール５−１と第２ガイドレール５−２とを備えている。
第１ガイドレール５−１は、ヒンジ６を介して第２ガイドレール５−２に折り畳み可能に連結されている。第２ガイドレール５−２は、第１ガイドレール５−１に連結されている端と反対の端にヒンジ５１が設けられている。ヒンジ５１は、床に支持され、第２ガイドレール５−２を床に対して回転可能に支持している。
第１ガイドレール５−１は、第２ガイドレール５−２に連結されている端と反対の端にローラ５２が設けられている。ローラ５２は、床を転がり、第１ガイドレール５−１が床と摺動して摩耗することを防止する。
【００２９】
すなわち、モータ９がチェーン７を巻き取ると、第１ガイドレール５−１と第２ガイドレール５−２とが折り畳まれ、第２ガイドレール５−２がヒンジ５１を中心に回転して立てられる。この結果、下側開閉ガイドレール５は、扉１が出入り口を開放して扉収納スペース２０に収納されているときに、ヒンジ６を介して２つ折にされ、出入り口の傍に収納されることができる。このような下側開閉ガイドレール５は、艦船用格納庫の格納スペースに物品を出し入れすることに邪魔にならないで好ましい。
【００３０】
本発明による艦船用格納庫の出入り口を開放するには、まず、パネル移動用開閉装置１４が駆動用チェーン１１を用いて、パネル２−１〜２−ｎを扉収納スペース２０の側に移動させる。パネル２−ｎが扉収納スペース２０に配置されると、パネル引き込み装置２４は、扉収納スペース２０に配置されたパネル２−ｎを内側に移動させる。その後、さらに、パネル移動用開閉装置１４が駆動用チェーン１１を用いて、パネル２−１〜２−（ｎ−１）を扉収納スペース２０の側に移動させる。パネル２−ｎが扉収納スペース２０に配置されると、パネル引き込み装置２４は、扉収納スペース２０に配置されたパネル２−（ｎ−１）を内側に移動させる。パネル２−１〜２−ｎは、このような動作が繰り返されて、すべて扉収納スペース２０に収納される。パネル２−１〜２−ｎが収納された後、下側開閉ガイドレール５は、扉１が出入り口を開放して扉収納スペース２０に収納されているときに、ヒンジ６を介して２つ折にされ、出入り口の傍に収納される。
【００３１】
本発明による艦船用格納庫の出入り口を閉鎖するには、まず、モータ９が駆動用チェーン７を解いて、下側開閉ガイドレール５を敷く。パネル押し出し装置４１は、パネル２−１を平面１０に重なるように、扉収納スペース２０に収納されているパネル２−１〜２−ｎを外側に押し出す。パネル横押し出し装置２３は、平面１０に配置されているパネル２−１を上側開閉ガイドレール４と下側開閉ガイドレール５の間に押し出す。その後、さらに、パネル押し出し装置４１は、パネル２−２を平面１０に重なるように、扉収納スペース２０に収納されているパネル２−２〜２−ｎを外側に押し出す。パネル横押し出し装置２３は、平面１０に配置されているパネル２−２を上側開閉ガイドレール４と下側開閉ガイドレール５の間に押し出す。パネル２−１〜２−ｎは、このような動作が繰り返されて、すべて上側開閉ガイドレール４と下側開閉ガイドレール５の間に配置され、艦船用格納庫の出入り口が閉鎖される。
【００３２】
【発明の効果】
本発明による艦船用格納庫は、ＲＣＳがより小さい。
【図面の簡単な説明】
【図１】図１は、本発明による艦船用格納庫の扉の実施の形態を示す正面図である。
【図２】図２は、扉収納スペースを示す側面図である。
【図３】図３は、上側開閉ガイドレールと下側開閉ガイドレールとの実施の形態を示す断面図である。
【図４】図４は、上側収納ガイドレールと下側収納ガイドレールとの実施の形態を示す正面図である。
【図５】図５は、パネル引き込み装置の実施の形態を示す断面図である。
【図６】図６は、パネル押し出し装置とパネル横押し出し装置との実施の形態を示す断面図である。
【図７】図７は、下側収納ガイドレールの他の状態を示す正面図である。
【図８】図８は、公知の艦船用格納庫の実施の形態を示す断面図である。
【図９】図９は、シャッターを示す断面図である。
【符号の説明】
１　：扉
２−１〜２−ｎ：パネル
３　：扉収納装置
４　：上側開閉ガイドレール
５　：下側開閉ガイドレール
１０：平面
１１：駆動用チェーン
１２：滑車
１３：滑車
１４：パネル移動用開閉装置
１５：金具
１６：ベルト
２０：扉収納スペース
２３：パネル横押し出し装置
２４：パネル引き込み装置
４１：パネル押し出し装置
【図１】
2004027680.tif 000003
【図２】
2004027680.tif 000004
【図３】
2004027680.tif 000005
【図４】
2004027680.tif 000006
【図５】
2004027680.tif 000007
【図６】
2004027680.tif 000008
【図７】
2004027680.tif 000009
【図８】
2004027680.tif 000010
【図９】
2004027680.tif 000011